(57)【要約】      （修正有）【課題】ゴルフボールをパターで打つ際、インパクトの前後約３０ｃｍのパターの軌道が直線状になるパター練習具を提供する。【解決手段】パターのフェイス３３に対して直角となるよう、トゥとヒール付近に２本の角状突出物２を掛止板４を介してパターのトップ３７からフェイスに装着させる。角状突出物の間隔を平行にゴルフボールより広くする。パターでゴルフボールを打つと平行に配置された突出物にゴルフボールが接触しないで打つとパターの軌道が、目標点に対して直線的になり、ゴルフボールは目標点に真直ぐ転がり進行する。また、同時にパターのインパクト前後約３０ｃｍの軌道を直線にすることができる。【選択図】図１
0003231127.tif 000002
【実用新案登録請求の範囲】
【請求項１】
本考案の形状が、パターのフェイスに対して、コの字状を形成し、該コの字状の縦部の壁に前記フェイスと密着させるようパターのトップから差し込み、キャビティに装着して、ゴルフボールより広い間隔を持つコの字状の平行に配置した、横材から成り、該平行な横材とゴルフボールが接触しないで打てると目標点に該ゴルフボールが正確に転がり進行することを特徴とする、パター練習具。
【請求項２】
請求項１のコの字状の平行な横材を矩形、円形、楕円形、多角形等としたことを特徴とする、パター練習具。
【請求項３】
請求項１及び請求項２において、パターのトップから差し込みキャビティに装着係止、固定する方法で、平坦な係止板、湾曲した係止板、ねじによる固定、前記係止板を回転可能にし、例えばトーションばねで係止板を前記キャビティに押圧して装着する方法や磁石を利用して、前記パターに装着し、フェイスに密着固定することを特徴とする、パター練習具。
【請求項４】
請求項１においてゴルフボールより広い幅で、コの字状の平行な横材の幅を可変することが出来ることを特徴とした、パター練習具。
【請求項５】
請求項１において、前記コの字状の平行な横材の長さを可変することを特徴とした、パター練習具。
【考案の詳細な説明】
【技術分野】
【０００１】本考案は、パターの練習において、ゴルフボールが木法典に向けて真直ぐ正確に打つ事を目標とした、パターに装着する練習器具に関する。
【背景技術】
【０００２】ゴルフのパターの練習において、従来様々な練習器具や練習方法があるが、ゴルフボールを目標点に向けて打つ事を目的としてきた。【０００３】また、ゴルフボールをパターで打つ際、パターの軌道がわずかに円弧状の軌道となり、インパクトの前後約３０ｃｍでは前記軌道が直線となるよう練習をしてきた。
【考案の概要】
【考案が解決しようとする課題】
【０００４】従来のパターの練習では、マットに直線のラインを設け、ゴルフボールが該ラインに沿って打つ練習やスウィングの矯正用器具などを使って練習してきたが、ゴルフボールをパターで打つ際、パターのフェイスに前記ゴルフボールが当接すると、インパクトの前後約３０ｃｍパターの軌道が直線状にならなかったので、これらの欠点を解消しようとするものである。
【課題を解決するための手段】
【０００５】本考案では、パターのフェイスに対して直角となるよう、トゥとヒール付近に角状の突出物を形成するものを前記パターのトップからフェイスに装着させて、前記角状突出物の間隔を平行にし、前記ゴルフボールより広くしてあり、前記パターでゴルフボールを打つと前記角状の平行に配置された突出物にゴルフボールが接触しないで打てると前記パターの軌道が、目標点に対して直線的になり、従って前記ゴルフボールは目標点に真直ぐ転がり進行することになり、また、同時にパターのインパクト前後約３０ｃｍの軌道を直線にする問題点を解決している。
【考案の効果】
【０００６】上述のように、本考案である角状の突出物をフェイスのトゥとヒールに持つ練習器具をパターのトップから容易に装着でき、該パターでゴルフボールを打つ際、該ゴルフボールが前記角状の突出物が該ゴルフボールより広く、平行に配置されているので、該ゴルフボールが前記角状の突出物に接触しないで打つと、インパクト前後約３０ｃｍが直線の軌道を成し、従って、ゴルフボールが目標点に真直ぐ転がり、進行することになると同時にスィングの矯正にも役立つことができた。
【図面の簡単な説明】
【０００７】
【図１】図１の（Ａ）は、本考案を示す上方から見た全体斜視図、（Ｂ）は、本考案の使用方法を示す参考斜視図である。
【０００８】
【図２】図２は、本考案の平面図である。
【０００９】
【図３】図３は、図２で示すＡ−Ａ断面図である。
【００１０】
【図４】図４は、本考案の正面図である。
【００１１】
【図５】図５は、本考案の背面図である。
【００１２】
【図６】図６は、本考案の右側面図である。
【００１３】
【図７】図７は、本考案を裏側から見た斜視図である。
【００１４】
【図８】図８は、使用状態を示す参考図である。
【００１５】
【図９】図９は、本考案をトップに装着する方法の他の実施例を示すもので、ネジでキャビティにネジで固定するものである。
【００１６】
【図１０】図１０は、前記図９と同様に、前記トップに装着方法の他の実施例を示すもので、装着固定部を湾曲させ、キャビティの凹部に係止させ、固定するものである。
【００１７】
【図１１】図１１は、前記図９、図１０と同様に、本考案を装着する方法の他の実施例を示すもので、前記キャビティの凹部に係止するため、例えばダブルトーションばねで押圧固定するものである。
【００１８】
【図１２】図１２は、上述の図９、図１０、図１１と同様に、本考案を装着して固定する方法の他の実施例で、例えば、本考案のトゥとヒール側に磁石を埋設し、フェイス面に密着して装着する方法を示す他の実施例を示すものであるが、該磁石を埋設する方法では、パターの材質が例えばステンレス材の磁石を吸着しない材料の場合には、フェイス側の表面に前記磁石を吸着させるシートを貼着して使用する。
【００１９】
【図１３】図１３の（Ａ）、（Ｂ）及び（Ｃ）は、一例として、パターの各部の名称を説明するための図を示すものである。
【考案を実施するための形態】
【００２０】  本考案を図面に従がって、本考案にかかる実施形態について詳細に説明する。
【００２１】本考案全体１０は、コの字状の形状で、該コの字の縦の部分の壁が、図１３に示す一例として、パターの先部の名称を示す（Ａ）、（Ｂ）、（Ｃ）のトップ３７から差し込み、キャビティ３６の壁３６ｂとフェイス３３を挟持固定し、装着して使用するものである。
【００２２】先ず、パターの先部全体３０を説明すると、シャフト（図示せず）の先端に固着したネック３２の下側をヒール３４と呼び、該ヒール３４、フェイス３３、トゥ３１と呼ぶ。
【００２３】また、パター先部全体３０の底部をソール３５、前記フェイス３３の裏側をキャビティ３６と呼び、該パター先部全体３０を上から見るとラインが印され、前記フェイス３３の上の面をトップ３７と呼び、前記キャビティ３６の平坦部３６ａに印された線をサイトライン３８と呼ぶ。
【００２４】上記の通りのパター先部３０に本考案本体１（以後本体と呼ぶ）は、コの字状を形成したものを装着するが、該コの字の縦部分には前記トップ３７から差し込み装着する台形の板３を持ち、該台形の板３の中央には、センターガイドライン８が印されて、前記キャビティ３６のサイトライン３８を一致するよう装着固定し、
前記台形の板の短辺から下に、向かって挟持する壁４を持つ。
【００２５】また、該台形の板３の長辺の中央部１５は、前記フェイス３３と面一となっていて、ゴルフボールＧを打つ際、該ゴルフボールＧは、前記フェイス３３にだけ当接する。
【００２６】本体１のコの字状の縦部の壁１１には、半円形状の開口部６を設け、該開口部６の半円形状の淵９は、前記ゴルフボールＧの直径Ｗ１より大きく開口されている。
【００２７】本体１のコの字状の横部は、前記縦部の壁１１と一体に該壁と直角方向に先部が上がるように少し湾曲した形状の各条の角棒２が平行を保ち２本一体化されている。
【００２８】該角棒２の先端部２ｄは丸目加工され、該角棒２の上面部２ｃの中央には、ガイドライン２ａが印されて、該角棒２の内側の両壁部２ｂとの間隔Ｗ２は、前記ゴルフボールＧの直径Ｗ１より広くなっているので、該ゴルフボールＧと前記両壁部２ｂにはそれぞれＷ３の間隙がある。
【００２９】また、ゴルフボールＧを打つ際、前記角棒２の両先端部２ｄの空間部７には、幅Ｗ２があり、前記ゴルフボールＧが侵入する際にも該ゴルフボールＧの両側部にはそれぞれ間隙Ｗ３があるので接触しないように打つことになる。
【００３０】図２に示す、本体全体１０の平面図で示す、Ａ−Ａ線で切断して、正面図方向に見た断面図を図３で示し、該断面図の角棒２の下面２ｅに空間１２を設けたことにより、本体１を軽量化する目的のものである。
【００３１】図４は、本体全体１０を正面から見た図で、図５は、背面方向から見た図で、図６は本体全体１０を右から見た図で、前記台形の板３の短辺から下に延びる壁４と本体１の縦の壁１１の外側１１（背面側）の壁の面２０と台形板３の係止壁４の空間１４に前記トップ３７から差し込み、本体１を装着する。
【００３２】図８は、本考案全体１０をパターＰに装着して、人Ｍが床面Ｆに設けたホールＨに向けて、ゴルフボールＧを打つ使用状態を示す図である。
【００３３】図９から図１２は、前記台形の板３の短辺から下方に延びた係止壁４の係止方法の他の実施例を示すもので、図９では、前記係止壁４Ａを設け、ネジ２１で前記キャビティ３６の壁面３６ｂに固定するものである。
【００３４】図１０は、図９と同様に台形板３の短辺下側に湾曲させた押圧板２２により前記キャビティ３６の壁３６ｂに押圧して、パター３０に装着するものである。
【００３５】  図１１は、図１０押圧壁２２の他の実施例で、押圧壁２４が回転軸２５を軸に例えば、トーションばね２３で、前記キャビティ３６の壁３６ｂを押圧して、パター３０に装着するものである。
【００３６】  図１２は、パター３０の素材が磁石と付く場合、角棒２の前記フェイス３３と当接する面２０に、前記角棒２のトゥ３１とヒール３４に磁石２６をそれぞれ埋設して、前記パター３０のフェイス３３と密着して使用するが、前記パターが例えばステンレス素材で磁石２６が付かない場合には、フェイス３３に磁石２６が付く素材のシートを貼着して使用する。
【００３７】以上が、本考案の構成や使用方法について説明したが、前記角棒２０の断面形状は円形、楕円形、多角形の形状でも可能であり、本体１の主たる形状は、コの字状とし、上述の形状や取り付け方法等は、一実施例を示すものである。
【符号の説明】
【００３８】１・・・・・・本体
２・・・・・・角棒
３・・・・・・台形板
４・・・・・・係止板
５・・・・・・台形板の裏面
６・・・・・・半円形状の空間
７・・・・・・本体の入り口
８・・・・・・センターガイドライン
９・・・・・・半円形状の淵
１０・・・・・本体全体
１１・・・・・連結部
１２・・・・・空間部
１３・・・・・台形板の連結部
１５・・・・・フェイスと面一部
３０・・・・・パター先部全体
３１・・・・・トゥ
３２・・・・・ネック
３３・・・・・フェイス
３４・・・・・ヒール
３５・・・・・ソール
３６・・・・・キャビティ
３７・・・・・トップ
３８・・・・・サイトライン
Ｇ・・・・・・ゴルフボール
Ｍ・・・・・・人
Ｈ・・・・・・ホール
Ｐ・・・・・・パター
【図１】
0003231127.tif 000003
【図２】
0003231127.tif 000004
【図３】
0003231127.tif 000005
【図４】
0003231127.tif 000006
【図５】
0003231127.tif 000007
【図６】
0003231127.tif 000008
【図７】
0003231127.tif 000009
【図８】
0003231127.tif 000010
【図９】
0003231127.tif 000011
【図１０】
0003231127.tif 000012
【図１１】
0003231127.tif 000013
【図１２】
0003231127.tif 000014
【図１３】
0003231127.tif 000015